(57)【特許請求の範囲】
【請求項１】
対話型モジュラー・タイル・システムであって、複数のモジュラー対話型タイルを有し、前記システムは電子回路を有し、前記電子回路は、
−前記複数のモジュラー対話型タイルの構成を決定し；
−前記決定した構成で、ゲームが実行可能か否か、どのゲームが実行可能か、及び／又はゲ―ムのどの版が実行可能かを決定し；及び
−特定のゲーム又はゲームの特定の版を実行するために、前記複数のタイルのうちの少なくとも１つが配置されるべき場所を示し；
−前記複数のタイルのうちの少なくとも１つのタイルは、前記特定のゲーム又は前記ゲームの特定の版を実行するために、更なるタイルが前記１つのタイルの隣に配置されるべきであることを示す；対話型モジュラー・システム。
【請求項２】
前記複数のタイルは六角形である、請求項１に記載の対話型モジュラー・システム。
【請求項３】
前記複数のタイルの１つは、主電源を有するマスター・タイルとして動作する、請求項１に記載の対話型モジュラー・システム。
【請求項４】
前記タイルは、前記マスター・タイル及び更なるタイルを積み重ねることを可能にし、及び前記マスター・タイルと前記更なるタイルが積み重ねられたときに、前記更なるタイルのバッテリーを充電することを可能にするコネクタを有する、請求項３に記載の対話型モジュラー・システム。
【請求項５】
前記タイルの少なくとも幾つかは光源及び／又はディスプレイを有する、請求項１に記載の対話型モジュラー・システム。
【請求項６】
コンピューター・プログラムであって、複数のモジュラー対話型タイルを有する対話型モジュラー・タイル・システム内の１つのモジュラー対話型タイルの電子回路内のプロセッサーに、
−前記複数のモジュラー対話型タイルの構成を決定するステップと；
−前記決定した構成で、ゲームが実行可能か否か、どのゲームが実行可能か、及び／又はゲ―ムのどの版が実行可能かを決定するステップと；
−特定のゲーム又はゲームの特定の版を実行するために、前記複数のタイルのうちの少なくとも１つがどこに配置されるべきかを示すステップと；
−前記複数のタイルのうちの少なくとも１つのタイルにより、前記特定のゲーム又は前記ゲームの特定の版を実行するために、更なるタイルが前記１つのタイルの隣に配置されるべきであることを示すステップと；
を実行させるためのコンピューター・プログラム。
【発明の詳細な説明】
【技術分野】
【０００１】
本発明は、床面でゲームをする対話型システムに関する。当該システムは電子回路を有する。
【０００２】
本発明は、プログラム可能な装置を、床面でゲームをするための対話型システムとして機能させるコンピューター・プログラムに関する。
【背景技術】
【０００３】
このような対話型システムの例は、市販の種々のダンス・マット、例えばコナミ社のDance  Dance  Revolutionである。これらのダンス・マットは、固定された構成の相互作用点を有し、それらでダンス・ゲームを行うことを可能にする。これらのダンス・マットの欠点は、それらで行われるゲームが非常に限られていることである。
【発明の概要】
【発明が解決しようとする課題】
【０００４】
本発明の目的は、床面で種々のゲームを行う対話型システムを提供することである。
【課題を解決するための手段】
【０００５】
本発明によると、上述の目的は対話型システムにより実現される。対話型システムは、対話型モジュラー・タイル・システムであって、複数のモジュラー対話型タイルを有し、前記システムは電子回路を有し、前記電子回路は、−前記複数のモジュラー対話型タイルの構成を決定し；−前記決定した構成で、ゲームが実行可能か否か、どのゲームが実行可能か、及び／又はゲ―ムのどの版が実行可能かを決定し；及び−特定のゲーム又はゲームの特定の版を実行するために前記複数のタイルのうちの少なくとも１つが配置されるべき場所を示す。当該システムは、種々の床面に基づくゲームを実行可能にする。全ての床面に基づくゲームが全ての異なるタイル構成を扱うことができないので、ゲームを実行可能か否か、どのゲームが実行可能か、及び／又はゲ―ムのどの版が実行可能かは、当該構成に依存する。タイルとの対話は、タイルを踏む、タイルからタイルへジャンプする、タイルを手に取る及びタイルを再構成するような物理的活動を必要とする。
【０００６】
本発明のシステムでは、前記電子回路は、特定のゲーム又はゲームの特定の版を実行するために、前記複数のタイルのうちの少なくとも１つが配置されるべき場所を示す。システムは、所望のゲーム又はゲームの版のための構成を作る方法のアドバイスを与える。
【０００７】
前記複数のタイルのうちの少なくとも１つは、前記特定のゲーム又は前記ゲームの特定の版を実行するために、更なるタイルが前記１つの隣に配置されるべきであることを示す。タイル又はタイルの一辺は、点滅を開始する（場合によっては特定の色で）。
【０００８】
複数のタイルは六角形である。これは、多くの異なる構成を作成することを可能にする。
【０００９】
複数のタイルのうちの１つは、主電源を有するマスター・タイルとして動作する。マスター・タイルは、スピーカーを有する。特定の高価な構成要素をマスター・タイルに組み込み、マスター・タイルを余分な障害から保護することにより、システムの耐久性が向上する。
【００１０】
少なくとも幾つかのタイルは、光源及び／又はディスプレイを有する。ユーザーにテレビ画面を介してフィードバックを与えることが可能であるが、例えば光信号又は文字や画像で、タイル自体を介してフィードバックを受ける方がユーザーにとって簡単である。  前記タイルは、前記マスター・タイル及び前記更なるタイルを積み重ねることを可能にし、及び前記マスター・タイルと前記更なるタイルが積み重ねられたときに、前記更なるタイルのバッテリーを充電することを可能にするコネクタを有する。これにより、タイルが片付けられたとき、タイルのバッテリーが再充電される。タイルの光源及びディスプレイは、バッテリーが再充電されている間、点灯する。
【００１１】
本発明のこれら及び他の態様は、例として図を参照し説明されることにより明らかになる。
【図面の簡単な説明】
【００１２】
【図１】本発明の方法のフロー図である。
【図２】本発明の対話型モジュラー・タイル・システムの実施例を示す。
【図３】図２の２つのタイルのブロック図を示す。
【発明を実施するための形態】
【００１３】
図中の対応する要素は、同一の参照符号により示される。
【００１４】
図１を参照すると、本発明の方法は２つの段階を有する。段階１は、複数のモジュラー対話型タイルの構成を決定する段階を有する。段階３は、決定された構成で、ゲームが可能か否か、どのゲームが可能か、及び／又はゲームのどの版が可能かを決定する段階を有する。
【００１５】
図２は、１つのマスター・タイル１１と、「プレイ・タイル」と称される１１個の他のタイル１３とを有するシステムの実施例を示す。全てのタイルは六角形である。ゲームを開始するために、１１個のプレイ・タイルでレイアウトを作成する必要がある。タイルを接続するとき、接続を確認するためにタイルの端に小さい光のバーストが見える。プレイ・タイルの全体のレイアウトが作成されるとき、マスター・タイルが電源オンに接続される必要がある。
【００１６】
マスター・タイルは、情報、電源、及びスピーカーを有する。プレイ・タイルと接続すると、光のバーストが、マスター・タイルから、全てのプレイ・タイルへ及びそれらのタイルを介して生じ、電源オンを示す。電源オンの後、各タイルの上に、タイルを踏むことによりプレイを選択できるゲームのアイコンが表示される。この後、ゲーム固有の指示を伴いゲームが開始し、最終的にはゲーム自体が開始する。リセット、別のゲームを選択するには、マスター・タイルを外し、再接続する。
【００１７】
特定のタイルのレイアウトを要求するゲームを選択した後、システムはどのタイルをどこへ移動すべきかを指示する。ゲームを終了するには、マスター・タイルを外すだけでよい。全てのタイルをマスター・タイルの上に積み重ねると、プレイ・タイルを充電する。インジケーターをタイルの上に投げる必要のある「石蹴り遊び（hopscotch）」のような特定のゲームを行うために、システムは２つのパックを備えている。これらは、タイルの上に投げることができるＬＥＤを内蔵したオブジェクトようなお手玉である。
【００１８】
本実施例では、以下のオブジェクトが利用可能である（他の実施例は、異なるオブジェクトを有してよく、例えば如何なる固定されたプレイ・タイルも有さない）。
【００１９】
−７個の固定されたプレイ・タイル（＋２個の予備）
７個のプレイ・タイルは柔らかい材料で仕上げられ、それぞれ上面の下に１６９個のＬＥＤのグリッド・レイアウトを有する。互いに接続されるとき、これらのＬＥＤは互いに接続される面で点灯する。タイルは、タクト・スイッチを有するので、誰かがタイルの上に立つと検知できる。各ゲームはタイルに特有の動作を有する。
【００２０】
−４個の解放されたプレイ・タイル（＋１個の予備）
４個の解放されたタイルは、ワイヤレスでありレイアウトを再構成するために持ち上げることが可能であることを除き、７個の固定されたタイルと同じである。無線データ転送は、床を通じたＩＲを通じて行われる。電源は、磁石を通る。
【００２１】
−１個の解放されたマスター・タイル
マスター・タイルは、望ましくは情報、電源、及びスピーカーを有する。上面は光沢のある風防ガラス（Perspex）で仕上げられる。マスター・タイルが他のタイルと接続されるとき、マスター・タイルから光のバーストが生じ、全てのプレイ・タイルに渡って描き出される。
【００２２】
−２つのお手玉
２つのお手玉は、タイルの上に投げられると検出されるパックのようなものである。
【００２３】
プレイを開始するために、全てのタイルは先ず配置される必要がある。互いに接続されるとき、全てのタイルは接続される側が点灯し、接続を示す。タイルの電源を入れるには、マスター・タイルを接続する。接続されると、光のパルスがマスター・タイルから発生し、全ての他のタイルに渡って描き出される。
【００２４】
この初期パルスの後、各タイルにアイコンが現れる。各アイコンは、実行するために選択できるゲームを表す。ゲームのうちの１つを選択するには、ユーザーは、ユーザーが実行したいゲームのアイコンを有するタイルを踏む必要がある。このタイルは、次に強調表示される。最後の選択の後に開始する３秒のタイムアウトの後、選択が確認される。このタイムアウト時間は、タイル上に視覚的及び聴覚的に表される。全てのタイルがタイムアウトした後、視覚的に確認が行われる。
【００２５】
選択されたゲームが特定のレイアウト（石蹴り遊び）を必要とする場合、タイルを再構成する必要がある。移動する必要のあるタイルは暗くなり、既に適正な位置にあるタイルは輝く。ユーザーを案内するために、タイルが接続されるべき側は、色で強調表示される。新たなタイルが適正に接続されると、当該タイルは他のタイルのように輝く。新たなレイアウトが完成すると、全てのタイルに視覚的確認が現れる。
【００２６】
短い変化の後、全てのタイルは異なる色で点灯する。プレーヤーの量、及び個々のプレーヤーを表す色を選択するため、各プレーヤーは所望の色を有するタイルを踏み、踏まれたタイルは強調表示される。最後の選択の後に開始する３秒のタイムアウトの後、選択が確認される。このタイムアウト時間は、タイル上に視覚的及び聴覚的に表される。全てのタイルがタイムアウトした後、視覚的に確認が行われる。短い変化の後、ゲームを開始するタイルはプレーヤーの色の１つで輝き、当該プレーヤーの番であることを示す。プレーヤーがこのタイルの上に立った後、ゲームが開始する。ゲームをリセットするには、マスター・タイルを外し、再接続する。ゲームを終了するには、マスター・タイルを外す。
【００２７】
［ゲーム０１：サイモンセッズ（Simon  says）］
このゲームは、音及び光を用いる。システムは、音のシーケンスを演奏し、タイルを異なる色で点灯させる（最初は１つだけ）。タイルの１つに、第１のプレーヤーの色が現れる。第１のプレーヤーが自分の番を開始するには、当該タイルの上に立つ必要がある。；数秒後、第１のパターンが開始する。プレーヤーは、次に、システムが行うことを繰り返し、最初のタイルに戻る。ゲームは、順番毎にシーケンスに新たな音を追加することにより進行する。プレーヤーがシ―ケンスを繰り返すのに失敗した場合、彼はアウトになり、そのことが全てのタイル上にアニメーションにより強調表示される。次に、次のプレーヤーの番になる。ゲームはリセットされるまで続く。
【００２８】
［ゲーム０２：石蹴り遊び（Hopscotch）］
第１のプレーヤーは、彼のパックを四角の内側に投げる。その後、彼は、各四角形の中へと飛び、四角形１で開始し、四角形１０で終了する。
【００２９】
２つの四角形が一緒に存在する場合、彼はジャンプし、片足で各四角形に着地する。１つの四角形しかない場合には、彼は片足で跳ばなければならない。
【００３０】
彼が四角形番号１０に到達すると、彼は再び番号１の四角形までジャンプして戻らなければならない。次に、彼は次のレベルをやり続ける。
【００３１】
今回は、プレーヤーは石を番号２の四角形に投げることにより開始した。次のレベルでは、彼は四角形に投げる。彼は、レベル１０まで続けることができる。
【００３２】
全てのレベルを行った最初のプレーヤーが勝者である。最も重要なことは、プレーヤーが石がある四角形をスキップしなければならないことである。
【００３３】
ゲームは、特定のルールを有する。以下の事柄の１つが起こった場合、プレーヤーは中止し、別のプレーヤーの番になる。
（１）プレーヤーが彼／彼女の足、又は両足を四角形の線に置けない。
（２）プレーヤーが２本の足で四角形１、４、７、１０にジャンプできない。
（３）プレーヤーが転ばない。
（４）プレーヤーはパックのある四角形をミスすることができない。
【００３４】
図３を参照すると、マスター・タイル１１は、電子回路２１を有する。電子回路２１は、複数のモジュラー対話型タイルの構成を決定し、決定した構成で、ゲームを実行可能か否か、どのゲームが実行可能か、及び／又はゲ―ムのどの版が実行可能かを決定する。電子回路２１は、汎用又は特定用途向けプロセッサーを有する。マスター・タイル１１は、例えば１１０ボルト又は２２０ボルトに接続可能な主電源２３を更に有する。マスター・タイル１１は、例えば誘導を用いて他の線に電力を供給する電源コネクタ２５を更に有する。マスター・タイル１１は、ゲームを格納する記憶手段２７を更に有する。マスター・タイル１１は、ゲームの音声を再生するスピーカー２９を更に有する。
【００３５】
プレイ・タイル１３は各辺に１つ、他のタイルが接続されている場所を検出する６個のセンサー３１を有する。この情報により、タイルの構成が決定できる。プレイ・タイル１３は、マスター・タイル１１から例えば誘導を通じて電力を受信し、プレイ・タイル１３の電源コネクタ２５がマスター・タイル１１の電源コネクタ２５と結合された場合にバッテリーを再充電する電源コネクタ２５を更に有する。プレイ・タイル１３は、場合によっては光又はディスプレイと結合される入力手段３３を更に有する。プレイ・タイル１３の電子回路は、センサー３１から、及び入力手段３３からのデータを受信する。
【００３６】
本発明は好適な実施例と関連して説明されたが、当業者には、上述の原理の範囲内で当該実施例に変更がなされ得ること、本発明が好適な実施例に限定されず、当該変更をも包含することが明らかである。本発明は、本発明の特徴のそれぞれ及び全て、及びそれらのそれぞれ及び全ての組み合わせに存在する。請求項に含まれる参照符号は、請求項の請求の範囲を限定しない。用語「有する」及びその活用形の使用は、請求項に記載された要素及び他の要素の存在を排除しない。要素に付された単数を表す語の使用は、当該要素の複数の存在を排除しない。
【００３７】
「手段」は、当業者に明らかなように、単独で又は他の機能と連携して、又は単独で又は他の要素と協働して、特定の機能を実行する又は実行するよう設計された如何なるハードウェア（例えば別個の又は統合された回路若しくは電子素子）又はソフトウェア（例えばプログラム又はプログラムの部分）を含む。本発明は、幾つかの別個の要素を有するハードウェアを用いて、及び適切に設定されたコンピューターを用いて実施されてよい。装置の請求項では、幾つかの手段を列挙している。当該幾つかの手段は、１つの同一のハードウェア要素により実施されてよい。「コンピューター・プログラム」は、フロッピー（登録商標）・ディスクのようなコンピューター可読媒体に格納された、インターネットのようなネットワークを介してダウンロード可能な、又は他の如何なる方法で市場で入手可能な如何なるソフトウェアをも意味するとして理解される。コンピューター・プログラムの一例は、コンピューター・プログラムであって、設定可能な装置を、複数のモジュラー対話型タイルを有する対話型モジュラー・タイル・システム内の１つのモジュラー対話型タイルとして機能させ、前記モジュラー対話型タイルは電子回路を有し、前記システムを、−前記複数のモジュラー対話型タイルの構成を決定し；及び−前記決定した構成で、ゲームが実行可能か否か、どのゲームが実行可能か、及び／又はゲ―ムのどの版が実行可能かを決定し；−特定のゲーム又はゲームの特定の版を実行するために、前記複数のタイルのうちの少なくとも１つがどこに配置されるべきかを示し、−前記複数のタイルのうちの少なくとも１つのタイルにより、前記特定のゲーム又は前記ゲームの特定の版を実行するために、更なるタイルが前記１つのタイルの隣に配置されるべきであることを示す、よう動作させる、コンピューター・プログラムである。
【図１】
0005481193.tif 000002
【図２】
0005481193.tif 000003
【図３】
0005481193.tif 000004